(57)【要約】【課題】  再生時に迅速に再生すべきオーディオデータを検索できると共に、再生動作を簡略化することが可能となるようにオーディオデータを記録する記録装置及び当該記録装置によりオーディオデータが記録されたＤＶＤ並びに当該ＤＶＤから迅速且つ正確にオーディオデータを再生する再生装置を提供する。【解決手段】  オーディオパックパケットＡＰＴ内のオーディオフレーム情報６７内に、オーディオパケットＡＰＴに含まれるオーディオフレームＡＦであって、当該オーディオフレームＡＦの先頭がオーディオパケットＡＰＴに含まれているオーディオフレームＡＦのうち、第１番目のオーディオフレームＡＦの開始位置（オーディオデータ情報６８の終了位置からのバイト数）を示す情報であるファーストアクセスユニットポインタを記録する。ファーストアクセスユニットポインタを手掛かりにオーディオフレームＡＦの開始位置が検索できる。【選択図】  図１１
2005327459.tif 000002
【特許請求の範囲】
【請求項１】
記録すべき記録情報に対して所定の信号処理を施し、複数の予め設定された情報単位により構成される処理記録情報を生成する信号処理手段と、前記生成された処理記録情報を、前記所定の信号処理に基づいて予め設定された記録単位であって、一又は複数の前記情報単位を含む記録単位毎に分割する分割手段と、外部から入力された前記記録情報の再生を制御する制御情報に基づき、一の前記記録単位内における前記情報単位の開始位置を設定すると共に当該開始位置を示す開始位置情報を生成して前記記録単位毎に前記処理記録情報に多重し、多重処理記録情報を生成する多重手段と、前記多重処理記録情報を前記情報記録媒体に記録する記録手段と、を備えたことを特徴とする記録装置。
【請求項２】
請求項１に記載の記録装置において、前記処理記録情報は、音声情報である前記記録情報に対して所定の圧縮処理を施すことにより生成されると共に、前記情報単位は、前記圧縮処理における圧縮情報単位であり、更に、前記開始位置情報は、前記記録単位に前記開始位置が含まれる前記情報単位のうち、最初の前記情報単位の前記開始位置を示す開始位置情報であることを特徴とする記録装置。
【請求項３】
請求項１に記載の記録装置において、前記処理記録情報は、音声情報である前記記録情報に対して所定の標本化処理及び量子化処理を施すことにより生成されると共に、前記情報単位は、前記所定の標本化処理及び量子化処理により生成された所定数の標本値からなる情報単位であり、更に、前記開始位置情報は、前記記録単位に前記開始位置が含まれる前記情報単位のうち、最初の前記情報単位の前記開始位置を示す開始位置情報であることを特徴とする記録装置。
【請求項４】
再生すべき記録情報と共に情報記録媒体に記録されている開始位置情報に基づいて前記記録情報の再生を制御する再生装置により再生される前記記録情報が記録されている情報記録媒体であって、前記記録情報に対して所定の信号処理を施すことにより生成され、複数の予め設定された情報単位により構成されていると共に、前記所定の信号処理に基づいて予め設定された記録単位であって、一又は複数の前記情報単位を含む記録単位毎に分割されている処理記録情報と、一の前記記録単位内における前記情報単位の開始位置を示す開始位置情報とが、前記記録単位毎に多重された構造を備えたことを特徴とする情報記録媒体。
【請求項５】
請求項４に記載の情報記録媒体において、前記処理記録情報は、音声情報である前記記録情報に対して所定の圧縮処理を施すことにより生成されると共に、前記情報単位は、前記圧縮処理における圧縮情報単位であり、更に、前記開始位置情報は、前記記録単位に前記開始位置が含まれる前記情報単位のうち、最初の前記情報単位の前記開始位置を示す開始位置情報であることを特徴とする情報記録媒体。
【請求項６】
請求項４に記載の情報記録媒体において、前記処理記録情報は、音声情報である前記記録情報に対して所定の標本化処理及び量子化処理を施すことにより生成されると共に、前記情報単位は、前記所定の標本化処理及び量子化処理により生成された所定数の標本値からなる情報単位であり、更に、前記開始位置情報は、前記記録単位に前記開始位置が含まれる前記情報単位のうち、最初の前記情報単位の前記開始位置を示す開始位置情報であることを特徴とする情報記録媒体。
【請求項７】
複数の予め設定された情報単位により構成され、且つ、記録情報を情報記録媒体に記録する際に当該記録情報に対して施される所定の信号処理に基づいて予め設定された記録単位であって、一又は複数の前記情報単位を含む記録単位毎に分割されている前記記録情報と、一の前記記録単位内における前記情報単位の開始位置を示す開始位置情報とが、前記記録単位毎に多重されて多重記録情報として記録されている前記情報記録媒体から前記記録情報を再生する再生装置であって、前記情報記録媒体から前記多重記録情報を検出して復調し、復調信号を出力する検出復調手段と、前記復調信号から前記開始位置情報を抽出する抽出手段と、前記抽出された開始位置情報に基づいて、前記情報単位の開始位置を検出し、前記情報単位毎に前記記録情報の再生処理を行う再生処理手段と、を備えたことを特徴とする再生装置。
【請求項８】
請求項７に記載の再生装置において、前記記録情報は、音声情報である再生すべき源記録情報に対して所定の圧縮処理を施すことにより生成されると共に、前記情報単位は、前記圧縮処理における圧縮情報単位であり、更に、前記開始位置情報は、前記記録単位に前記開始位置が含まれる前記情報単位のうち、最初の前記情報単位の前記開始位置を示す開始位置情報であることを特徴とする再生装置。
【請求項９】
請求項７に記載の再生装置において、前記記録情報は、音声情報である再生すべき源記録情報に対して所定の標本化処理及び量子化処理を施すことにより生成されると共に、前記情報単位は、前記所定の標本化処理及び量子化処理により生成された所定数の標本値からなる情報単位であり、更に、前記開始位置情報は、前記記録単位に前記開始位置が含まれる前記情報単位のうち、最初の前記情報単位の前記開始位置を示す開始位置情報であることを特徴とする再生装置。
【発明の詳細な説明】
【技術分野】
【０００１】
本発明は、ＤＶＤに代表される映像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【背景技術】
【０００２】
従来は、映像、音声等の情報が記録された光ディスクとしては、いわゆるＬＤ（Laser Disk）、ＣＤ（Compact Disk）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【０００４】
しかし、上記ＬＤ等においては、表示される映像や再生される音声について視聴者が選択枝をもち、当該視聴者がそれらを選択して視聴する等のいわゆるインタラクティブな変化に富んだ再生はできないという問題点があった。
【０００５】
すなわち、例えば、ＬＤに記録されている外国映画を視聴する場合に、画面に表示されている字幕で用いられている言語を選択して（例えば、日本語の字幕と原語の字幕を選択して）表示させたり、又はＣＤに記録されている音楽を聴取する場合に、その音楽の音声を選択する（例えば、英語の歌詞で聞くか或は日本語の歌詞で聞くかを選択する）ことができないのである。
【０００６】
一方、現在、上記従来のＣＤに対して、光ディスク自体の大きさを変えずに記憶容量を約１０倍に向上させた光ディスクであるＤＶＤについての提案や開発が盛んであるが、このＤＶＤに対して、上記複数の字幕や複数の言語で音声等を記録しておけば、視聴者がそれを選択することにより上記インタラクティブな変化に富んだ再生を楽しむことも可能となる。
【発明の開示】
【発明が解決しようとする課題】
【０００７】
しかしながら、上記ＤＶＤに対して複数種類の言語の音声や、多種類の音楽等を記録する際には、記録すべき音声情報又は音楽等の情報量が膨大となるが、このとき、適切な記録態様で当該情報を記録しておかないと、再生の際、再生すべき音声情報等を検索するための処理が複雑になると共に、再生すべき音声情報等の検索に要する時間に起因して、再生中に音声又は音楽等が途切れる場合も生じ得るという問題点がある。
【０００８】
そこで、本発明は、この問題点に鑑みて成されたもので、その課題は、再生時に迅速に再生すべき音声情報等の記録情報を検索できると共に、再生動作を簡略化することが可能となるように記録情報を記録することができる記録装置及び当該記録装置により記録情報が記録された情報記録媒体を提供すると共に、当該情報記録媒体から迅速且つ正確に記録情報を再生することが可能な再生装置を提供することにある。
【課題を解決するための手段】
【０００９】
上記の課題を解決するために、請求項１に記載の発明は、記録すべき記録情報に対してＭＰＥＧ２方式等の所定の信号処理を施し、複数の予め設定されたオーディオフレーム等の情報単位により構成される処理記録情報を生成する処理部等の信号処理手段と、前記生成された処理記録情報を、前記所定の信号処理に基づいて予め設定されたオーディオパケット等の記録単位であって、一又は複数の前記情報単位を含む記録単位毎に分割する分割部等の分割手段と、外部から入力された前記記録情報の再生を制御する制御情報に基づき、一の前記記録単位内における前記情報単位の開始位置を設定すると共に当該開始位置を示すファーストアクセスユニットポインタ等の開始位置情報を生成して前記記録単位毎に前記処理記録情報に多重し、多重処理記録情報を生成する多重部等の多重手段と、前記多重処理記録情報を前記情報記録媒体に記録するマスタリング装置等の記録手段と、を備えて構成される。
【００１０】
請求項１に記載の発明の作用によれば、信号処理手段は、記録情報に対して所定の信号処理を施し、複数の情報単位により構成される処理記録情報を生成する。
【００１１】
そして、分割手段は、生成された処理記録情報を、一又は複数の情報単位を含む記録単位毎に分割する。その後、多重手段は、記録情報の再生を制御する制御情報に基づいて一の記録単位内における情報単位の開始位置を設定すると共に当該開始位置を示す開始位置情報を生成し、記録単位毎に処理記録情報に多重し、多重処理記録情報を生成する。
【００１２】
最後に、記録手段は、多重処理記録情報を情報記録媒体に記録する。よって、記録単位内の情報単位の開始位置を示す開始位置情報が処理記録情報と共に記録されるので、記録情報の再生時において、当該開始位置情報に基づいて情報単位の開始位置を迅速に検索し、それに基づいて情報単位毎の記録情報の再生処理を行うことができる。
【００１３】
上記の課題を解決するために、請求項２に記載の発明は、請求項１に記載の記録装置において、前記処理記録情報は、音声情報である前記記録情報に対してドルビーＡＣ３（Digital Audio Compression −３）処理等の所定の圧縮処理を施すことにより生成されると共に、前記情報単位は、前記圧縮処理におけるオーディオアクセスユニット等の圧縮情報単位であり、更に、前記開始位置情報は、前記記録単位に前記開始位置が含まれる前記情報単位のうち、最初の前記情報単位の前記開始位置を示す開始位置情報であるように構成される。
【００１４】
請求項２に記載の発明の作用によれば、請求項１に記載の発明の作用に加えて、処理記録情報は音声情報である記録情報に対して所定の圧縮処理を施すことにより生成されると共に、情報単位は当該圧縮処理における圧縮情報単位であり、更に、開始位置情報は、記録単位に開始位置が含まれる情報単位のうち、最初の情報単位の開始位置を示す開始位置情報とされる。
【００１５】
よって、記録情報の再生時に、圧縮情報単位毎に伸張処理ができると共に、迅速に情報単位の開始位置を検索することができる。上記の課題を解決するために、請求項３に記載の発明は、請求項１に記載の記録装置において、前記処理記録情報は、音声情報である前記記録情報に対してリニアＰＣＭ（Pulse Code Modulation ）処理等の所定の標本化処理及び量子化処理を施すことにより生成されると共に、前記情報単位は、前記所定の標本化処理及び量子化処理により生成された所定数の標本値からなるオーディオフレーム等の情報単位であり、更に、前記開始位置情報は、前記記録単位に前記開始位置が含まれる前記情報単位のうち、最初の前記情報単位の前記開始位置を示す開始位置情報であるように構成される。
【００１６】
請求項３に記載の発明の作用によれば、請求項１に記載の発明の作用に加えて、処理記録情報は音声情報である記録情報に対して所定の標本化処理及び量子化処理を施すことにより生成されると共に、情報単位は当該標本化処理及び量子化処理により生成された所定数の標本値からなる情報単位であり、更に、開始位置情報は、記録単位に開始位置が含まれる情報単位のうち、最初の情報単位の開始位置を示す開始位置情報とされる。
【００１７】
よって、記録情報の再生時に、情報単位毎に再生処理ができると共に、迅速に情報単位の開始位置を検索することができる。上記の課題を解決するために、請求項４に記載の情報記録媒体は、再生すべき記録情報と共に情報記録媒体に記録されている開始位置情報に基づいて前記記録情報の再生を制御する再生装置により再生される前記記録情報が記録されているＤＶＤ等の情報記録媒体であって、前記記録情報に対して所定の信号処理を施すことにより生成され、複数の予め設定されたオーディオフレーム等の情報単位により構成されていると共に、前記所定の信号処理に基づいて予め設定された記録単位であって、一又は複数の前記情報単位を含むオーディオパケット等の前記記録単位毎に分割されている処理記録情報と、一の前記記録単位内における前記情報単位の開始位置を示すファーストアクセスユニットポインタ等の開始位置情報とが、前記記録単位毎に多重された構造を備えて構成される。
【００１８】
請求項４に記載の発明の情報記録媒体によれば、記録情報に対して所定の信号処理を施すことにより生成され、複数の情報単位により構成されていると共に、一又は複数の情報単位を含む記録単位毎に分割されている処理記録情報と開始位置情報とが記録単位毎に多重された構造を備えている。
【００１９】
よって、記録単位内の情報単位の開始位置を示す開始位置情報が処理記録情報と共に記録されているので、記録情報の再生時において、当該開始位置情報に基づいて情報単位の開始位置を迅速に検索し、それに基づいて情報単位毎の記録情報の再生処理を行うことができる。
【００２０】
上記の課題を解決するために、請求項５に記載の発明の情報記録媒体は、請求項４に記載の情報記録媒体において、前記処理記録情報は、音声情報である前記記録情報に対してドルビーＡＣ３処理等の所定の圧縮処理を施すことにより生成されると共に、前記情報単位は、前記圧縮処理におけるオーディオアクセスユニット等の圧縮情報単位であり、更に、前記開始位置情報は、前記記録単位に前記開始位置が含まれる前記情報単位のうち、最初の前記情報単位の前記開始位置を示す開始位置情報であるように構成される。
【００２１】
請求項５に記載の発明の情報記録媒体によれば、請求項４に記載の発明の作用に加えて、処理記録情報は音声情報である記録情報に対して所定の圧縮処理を施すことにより生成されると共に、情報単位は当該圧縮処理における圧縮情報単位であり、更に、開始位置情報は、記録単位に開始位置が含まれる情報単位のうち、最初の情報単位の開始位置を示す開始位置情報とされる。
【００２２】
よって、記録情報の再生時に、圧縮情報単位毎に伸張処理ができると共に、迅速に情報単位の開始位置を検索することができる。上記の課題を解決するために、請求項６に記載の発明の情報記録媒体は、請求項４に記載の情報記録媒体において、前記処理記録情報は、音声情報である前記記録情報に対してリニアＰＣＭ処理等の所定の標本化処理及び量子化処理を施すことにより生成されると共に、前記情報単位は、前記所定の標本化処理及び量子化処理により生成された所定数の標本値からなるオーディオフレーム等の情報単位であり、更に、前記開始位置情報は、前記記録単位に前記開始位置が含まれる前記情報単位のうち、最初の前記情報単位の前記開始位置を示す開始位置情報であるように構成される。
【００２３】
請求項６に記載の発明の情報記録媒体によれば、請求項４に記載の発明の作用に加えて、処理記録情報は音声情報である記録情報に対して所定の標本化処理及び量子化処理を施すことにより生成されると共に、情報単位は当該標本化処理及び量子化処理により生成された所定数の標本値からなる情報単位であり、更に、開始位置情報は、記録単位に開始位置が含まれる情報単位のうち、最初の情報単位の開始位置を示す開始位置情報とされる。
【００２４】
よって、記録情報の再生時に、量子化情報単位毎に再生処理ができると共に、迅速に情報単位の開始位置を検索することができる。上記の課題を解決するために、請求項７に記載の発明は、複数の予め設定されたオーディオフレーム等の情報単位により構成され、且つ、記録情報をＤＶＤ等の情報記録媒体に記録する際に当該記録情報に対して施されるＭＰＥＧ２方式等の所定の信号処理に基づいて予め設定された記録単位であって、一又は複数の前記情報単位を含むオーディオパケット等の前記記録単位毎に分割されている記録情報と、一の前記記録単位内における前記情報単位の開始位置を示すファーストアクセスユニットポインタ等の開始位置情報とが、前記記録単位毎に多重されて多重記録情報として記録されている前記情報記録媒体から前記記録情報を再生する再生装置であって、前記情報記録媒体から前記多重記録情報を検出して復調し、復調信号を出力するピックアップ、復調訂正手段等の検出復調手段と、前記復調信号から前記開始位置情報を抽出するデマルチプレクサ等の抽出手段と、前記抽出された開始位置情報に基づいて、前記情報単位の開始位置を検出し、前記情報単位毎に前記記録情報の再生処理を行うオーディオデコーダ等の再生処理手段と、を備えて構成される。
【００２５】
請求項７に記載の発明の作用によれば、検出復調手段は、情報記録媒体から多重記録情報を検出して復調し、復調信号を出力する。そして、抽出手段は、復調信号から開始位置情報を抽出する。
【００２６】
そして、再生処理手段は、抽出された開始位置情報に基づいて、情報単位の開始位置を検出し、情報単位毎に記録情報の再生処理を行う。よって、記録単位内の情報単位の開始位置を示す開始位置情報が記録情報と共に情報記録媒体に記録されているので、当該開始位置情報に基づいて情報単位の開始位置を迅速に検索し、それに基づいて情報単位毎の記録情報の再生処理を行うことができる。
【００２７】
上記の課題を解決するために、請求項８に記載の発明は、請求項７に記載の再生装置において、前記記録情報は、音声情報である再生すべき源記録情報に対してドルビーＡＣ３処理等の所定の圧縮処理を施すことにより生成されると共に、前記情報単位は、前記圧縮処理におけるオーディオアクセスユニット等の圧縮情報単位であり、更に、前記開始位置情報は、前記記録単位に前記開始位置が含まれる前記情報単位のうち、最初の前記情報単位の前記開始位置を示す開始位置情報であるように構成される。
【００２８】
請求項８に記載の発明の作用によれば、請求項７に記載の発明の作用に加えて、記録情報は、音声情報である源記録情報に対して所定の圧縮処理を施すことにより生成されると共に、情報単位は当該圧縮処理における圧縮情報単位であり、更に、開始位置情報は記録単位に開始位置が含まれる情報単位のうち、最初の情報単位の開始位置を示す開始位置情報とされる。
【００２９】
よって、圧縮情報単位毎に再生時の伸張処理ができると共に、迅速に情報単位の開始位置を検索することができる。上記の課題を解決するために、請求項９に記載の発明は、請求項７に記載の記録装置において、前記記録情報は、音声情報である再生すべき源記録情報に対してリニアＰＣＭ処理等の所定の標本化処理及び量子化処理を施すことにより生成されると共に、前記情報単位は、前記所定の標本化処理及び量子化処理により生成された所定数の標本値からなるオーディオフレーム等の情報単位であり、更に、前記開始位置情報は、前記記録単位に前記開始位置が含まれる前記情報単位のうち、最初の前記情報単位の前記開始位置を示す開始位置情報であるように構成される。
【００３０】
請求項９に記載の発明の作用によれば、請求項７に記載の発明の作用に加えて、記録情報は、音声情報である源記録情報に対して所定の標本化処理及び量子化処理を施すことにより生成されると共に、情報単位は当該標本化処理及び量子化処理により生成された所定数の標本値からなる情報単位であり、更に、開始位置情報は、記録単位に開始位置が含まれる情報単位のうち、最初の情報単位の開始位置を示す開始位置情報とされる。
【００３１】
よって、情報単位毎に再生時の再生処理ができると共に、迅速に情報単位の開始位置を検索することができる。
【発明の効果】
【００３２】
請求項１に記載の発明によれば、記録単位内の情報単位の開始位置を示す開始位置情報が処理記録情報と共に記録されるので、記録情報の再生時において、当該開始位置情報に基づいて情報単位の開始位置を迅速に検索し、それに基づいて情報単位毎の記録情報の再生処理を行うことができる。
【００３３】
従って、記録情報の再生時に迅速且つ確実に情報単位毎に再生処理を行えると共に、当該再生処理を迅速化すると共に簡略化することができる。
【００３４】
請求項２に記載の発明によれば、請求項１に記載の発明の効果に加えて、処理記録情報は記録情報に対して所定の圧縮処理を施すことにより生成されると共に、情報単位は当該圧縮処理における圧縮情報単位であり、更に、開始位置情報は、記録単位に開始位置が含まれる情報単位のうち、最初の情報単位の開始位置を示す開始位置情報とされるので、記録情報の再生時に、圧縮情報単位毎に伸張処理ができると共に、迅速に情報単位の開始位置を検索することができる。
【００３５】
請求項３に記載の発明によれば、請求項１に記載の発明の効果に加えて、処理記録情報は記録情報に対して所定の標本化処理及び量子化処理を施すことにより生成されると共に、情報単位は当該標本化処理及び量子化処理により生成された所定数の標本値からなる情報単位であり、更に、開始位置情報は、記録単位に開始位置が含まれる情報単位のうち、最初の情報単位の開始位置を示す開始位置情報とされるので、記録情報の再生時に、情報単位毎に再生処理ができると共に、迅速に情報単位の開始位置を検索することができる。
【００３６】
請求項４に記載の発明の情報記録媒体によれば、記録単位内の情報単位の開始位置を示す開始位置情報が処理記録情報と共に記録されているので、記録情報の再生時において、当該開始位置情報に基づいて情報単位の開始位置を迅速に検索し、それに基づいて情報単位毎の記録情報の再生処理を行うことができる。
【００３７】
従って、記録情報の再生時に迅速且つ確実に情報単位毎に再生処理を行えると共に、当該再生処理を迅速化すると共に簡略化することができる。
【００３８】
請求項５に記載の発明の情報記録媒体によれば、請求項４に記載の発明の効果に加えて、処理記録情報は記録情報に対して所定の圧縮処理を施すことにより生成されると共に、情報単位は当該圧縮処理における圧縮情報単位であり、更に、開始位置情報は、記録単位に開始位置が含まれる情報単位のうち、最初の情報単位の開始位置を示す開始位置情報とされるので、記録情報の再生時に、圧縮情報単位毎に伸張処理ができると共に、迅速に情報単位の開始位置を検索することができる。
【００３９】
請求項６に記載の発明の情報記録媒体によれば、請求項４に記載の発明の効果に加えて、処理記録情報は記録情報に対して所定の標本化処理及び量子化処理を施すことにより生成されると共に、情報単位は当該標本化処理及び量子化処理により生成された所定数の標本値からなる情報単位であり、更に、開始位置情報は、記録単位に開始位置が含まれる情報単位のうち、最初の情報単位の開始位置を示す開始位置情報とされるので、記録情報の再生時に、情報単位毎に再生処理ができると共に、迅速に情報単位の開始位置を検索することができる。
【００４０】
請求項７に記載の発明によれば、情報記録媒体に記録単位内の情報単位の開始位置を示す開始位置情報が記録情報と共に記録されているので、当該開始位置情報に基づいて情報単位の開始位置を迅速に検索し、それに基づいて情報単位毎の記録情報の再生処理を行うことができる。
【００４１】
従って、迅速且つ確実に情報単位毎に再生処理を行えると共に、当該再生処理を迅速化すると共に簡略化することができる。
【００４２】
請求項８に記載の発明によれば、請求項７に記載の発明の効果に加えて、記録情報は、源記録情報に対して所定の圧縮処理を施すことにより生成されると共に、情報単位は当該圧縮処理における圧縮情報単位であり、更に、開始位置情報は記録単位に開始位置が含まれる情報単位のうち、最初の情報単位の開始位置を示す開始位置情報とされるので、圧縮情報単位毎に再生時の伸張処理ができると共に、迅速に情報単位の開始位置を検索することができる。
【００４３】
請求項９に記載の発明によれば、請求項７に記載の発明の効果に加えて、記録情報は、源記録情報に対して所定の標本化処理及び量子化処理を施すことにより生成されると共に、情報単位は当該量子化処理により生成された所定数の標本値からなる情報単位であり、更に、開始位置情報は、記録単位に開始位置が含まれる情報単位のうち、最初の情報単位の開始位置を示す開始位置情報とされるので、情報単位毎に再生時の再生処理ができると共に、迅速に情報単位の開始位置を検索することができる。
【発明を実施するための最良の形態】
【００４４】
次に、本発明に好適な実施の形態について説明する。なお、以下に説明する実施の形態は、上記ＤＶＤに対して本発明を適用した実施の形態について説明するものである。
【００４５】
なお、以下の実施の形態においては、下記リストの左側に示した特許請求の範囲における各構成要素の一例が、下記リストの右側に示した要素から夫々構成されている。
【００４６】
記録情報……………：ＤＶＤに記録する所定の処理前の音声情報等
処理記録情報………：オーディオパックのうち、オーディオデータである実体部分
情報単位……………：オーディオフレーム又はオーディオアクセスユニット
記録単位……………：オーディオパケット
開始位置情報………：ファーストアクセスユニットポインタ
【００４７】
（Ｉ）情報記録媒体の実施の形態
始めに、請求項４乃至６に記載の発明に対応する情報記録媒体の実施の一形態であるＤＶＤの物理的及び論理的な構成並びにその動作について、図１乃至図９を用いて説明する。
【００４８】
始めに、映像情報及び音声情報（音楽情報も含む。以下、同じ）のＤＶＤ上における記録フォーマット（物理的記録フォーマット）について、図１乃至図３を用いて説明する。
【００４９】
先ず、図１に示すように、実施の形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ（Video Title Set ）３（ＶＴＳ＃１乃至ＶＴＳ＃ｎ）に分割されて記録されている。ここで、ＶＴＳとは、関連する（それに含まれる音声情報及び副映像情報の数や、仕様、対応言語等の属性が同じ）タイトル（映画等の、製作者が視聴者に提示しようとする一つの作品）を一まとめにしたセット（まとまり）であり、より具体的には、例えば、一本の同じ映画について、異なる言語の台詞等を有する複数の映画が夫々にタイトルとして記録されたり、又は、同じ映画であっても劇場版と特別版とが夫々別のタイトルとして記録されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録されている。
【００５０】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００５１】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information ）等の情報が記録される。また、各ＶＯＢ１０には、制御情報の他に映像情報及び音声情報の実体部分（制御情報以外の映像又は音声そのもの）が記録される。
【００５２】
更に、一のＶＯＢ１０は、夫々にＩＤ番号を有する複数のセル２０により構成されている。ここで、一のＶＯＢ１０は、複数のセル２０により完結するように構成されており、一のセル２０が二つのＶＯＢ１０に跨がることはない。
【００５３】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）のいずれか又は後述のナビパックのみによる構成される一つの単位である。
【００５４】
そして、一のＶＯＢユニット３０は、ＶＯＢユニット３０に含まれている映像情報等を制御対象とする制御情報が格納されているナビパック４１と、映像情報としてのビデオデータ４２と、音声情報としてのオーディオデータ４３と、副映像情報としてのサブピクチャデータ４４とにより構成されている。ここで、ビデオデータ４２としては映像データのみが記録され、オーディオデータ４３としては音声データのみが記録される。また、サブピクチャデータ４４としては副映像としての文字や図形等のグラフィックデータのみが記録される。なお、ＤＶＤ１に記録可能な音声は８種類であり、記録可能な副映像の種類は３２種類であることが規格上定められている。
【００５５】
また、一のＶＯＢユニット３０に対応する再生時間（一のナビパック４１と当該一のナビパック４１に隣接するナビパック４１との間に記録されているデータに対応する再生時間）は、０．４秒以上の長さを有するように記録される。
【００５６】
更に、一のＶＯＢユニット３０において、ナビパック４１は必ずその先頭に存在するが、ビデオデータ４２、オーディオデータ４３及びサブピクチャデータ４４の夫々は、必ずしもＶＯＢユニット３０中に存在する必要はなく、また、存在する場合にもその数や順序は任意に設定することができる。
【００５７】
ここで、図１に示すビデオデータ４２、オーディオデータ４３及びサブピクチャデータ４４の夫々の区分を一般にパックＰという。すなわち、一のＶＯＢユニット３０においては、ビデオデータ４２、オーディオデータ４３及びサブピクチャデータ４４が、夫々パックＰに分割されて記録されていることとなり、ビデオデータ４２が記録されているパックＰをビデオパック、オーディオデータ４３が記録されているパックＰをオーディオパック、サブピクチャデータ４４が記録されているパックＰをサブピクチャパックという。そして、これらのパックＰは、本実施の形態のＤＶＤ１上に記録情報を記録する際に用いられているＭＰＥＧ２方式におけるパック処理に対応して設定される記録単位である。
【００５８】
更に、各パックＰの先頭に記録されるパックヘッダには、夫々のパックＰに含まれているデータを後述の再生装置におけるトラックバッファから読み出して夫々のバッファへの入力を開始すべき再生時間軸上の読み出し開始時刻を示すＳＣＲ（System Clock Reference）と呼ばれる読み出し開始時刻情報や、パックＰの開始であることを示すスタートコード等が記録される。また、上記各パックＰについては、通常、当該パックＰを更に細分化した記録単位であるパケット毎にビデオデータ４２、オーディオデータ４３及びサブピクチャデータ４４が記録されるが、本実施の形態におけるＤＶＤ１では、一般に一のパックＰが一のパケットにより構成されている。
【００５９】
最後に、ナビパック４１は、再生表示させたい映像又は音声等を検索するための検索情報（具体的には、当該再生表示させたい映像又は音声等が記録されているＤＶＤ１上のアドレス等）であるＤＳＩ（Data Search Information ）データ５１と、ＤＳＩデータ５１に基づいて検索された映像又は音声を再生表示する際の再生表示制御に関する情報であるＰＣＩ（Presentation Control Information）データ５０とにより構成される。このとき、ＤＳＩデータ５１及びＰＣＩデータ５０は、パケットＰＴとして夫々ＤＳＩパケット及びＰＣＩパケットを構成して記録されている。
【００６０】
更に、一のＶＯＢユニット３０に含まれている全てのビデオデータ４２は、一又は複数のＧＯＰ（Group Of Picture）により構成されている。なお、ＰＣＩデータ５０には、視聴者によって選択される選択項目に対して、その項目が選択されたときの表示や動作を定義したハイライト情報が含まれている。このハイライト情報によって、例えば、視聴者が選択すべき項目を表示した画像（いわゆるメニュー画面）における、項目選択に対する画面表示の変化や、当該選択に対応して変化すべき表示位置及び選択された項目に対するコマンド（選択された項目に対して実行される動作を示す命令）の設定が行われる。
【００６１】
更に、メニュー画面を構成して表示するために必要な、枠、選択ボタン等を表示するための画像情報は、上記の副映像情報であるサブピクチャデータ４４として記録される。
【００６２】
また、ハイライト情報内に、後述の再生装置におけるシステムコントローラ内のレジスタ（メモリ）の値を設定するための情報を含ませることもできる。この点について、例えば、ＤＶＤ１に記録されている記録情報が教育用ソフトウェアである場合を用いて説明すると、教育用ソフトウェアにおいては、テスト問題を表示部に表示し、次に複数個の解答候補を視聴者が選択する選択項目としてサブピクチャデータ４４を用いて表示する場合がある。このとき、ハイライト情報には個々の選択項目に対応するコマンド情報が含まれており、問題の正解に対応する選択項目が視聴者により選択された場合に、システムコントローラは、当該選択項目に対応するハイライト情報内のコマンド情報により、当該システムコントローラに含まれる所定のレジスタに正解に対応する所定の得点を加算し、不正解の選択項目が選択された場合には得点の加算を行わないようにする。以下、同様に所定数の問題について出題と解答を繰返し、全ての解答終了後に、システムコントローラは、他のコマンド情報（例えば、ＰＧＣＩ内のコマンド情報）により、得点を累積した上記所定のレジスタを参照し、得点が予め設定されている所定の値より大きければ次の学習段階の問題等が記録されているＤＶＤ１上の記録位置にピックアップをジャンプさせ、反対に得点が所定の値より小さければ復習のソフトウェアが記録されている記録位置にピックアップをジャンプさせることを行う。以上の例のように、ハイライト情報によりシステムコントローラ内のレジスタを設定することも可能なのである。
【００６３】
一方、上記ＧＯＰは、本実施の形態におけるＤＶＤ１に映像情報を記録する際に採用されている画像圧縮方式であるＭＰＥＧ２（Moving Picture Experts Group ２）方式の規格において定められている単独で再生可能な最小の画像単位である。
【００６４】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算により生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００６５】
更に、上記ＧＯＰについて図２を用いてその概要を説明する。なお図２は、一のＧＯＰを構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded picture ：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-coded picture：前方予測符号化画像）と呼ばれ、既に復号化されたＩピクチャ又は他のＰピクチャに基づいて補償再生された予測画像との差を復号化する等して生成された予測画像である。また、符号「Ｂ」で示されるフレーム画像は、Ｂピクチャ（Bidirectionally predictive-coded picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。図２においては、各ピクチャ間の予測関係（補間関係）を矢印で示している。
【００６６】
なお、本実施の形態に係るＤＶＤ１で用いられているＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００６７】
一方、本実施の形態に係るＤＶＤ１におけるオーディオデータ４３について説明すると、オーディオデータ４３としては、圧縮されたオーディオデータが記録される場合と、圧縮されていないオーディオデータが記録される場合がある。このとき、圧縮されたオーディオデータを記録する際の代表的な圧縮方式としては、いわゆるドルビーＡＣ３方式があり、圧縮されていないオーディオデータを記録する際の代表的な記録方式としては、いわゆるリニアＰＣＭ方式がある。
【００６８】
ここで、上記ドルビーＡＣ３方式により圧縮されたオーディオデータを構成するオーディオパックと、上記リニアＰＣＭ方式により圧縮されていないオーディオデータを構成するオーディオパックについて、夫々の構造を図３を用いて説明する。
【００６９】
始めに、リニアＰＣＭ方式に基づくオーディオパックについて図３（ａ）を用いて説明する。図３（ａ）に示すように、リニアＰＣＭ方式に基づくオーディオパックＡＰは、上記のＳＣＲやスタートコードを含むパックヘッダ６４を先頭に、当該オーディオパックＡＰに含まれるデータがオーディオデータであることを示す情報等を含むパケットヘッダ６５と、当該オーディオパックＡＰに含まれるオーディオデータが圧縮されているオーディオデータであるか、又は本リニアＰＣＭ方式の如く圧縮されていないオーディオデータであるか等を示す情報を含むサブストリームＩＤ情報６６と、後述のファーストアクセスユニットポインタ若しくはオーディオフレーム数情報等が記述されているオーディオフレーム情報６７と、当該オーディオパックＡＰに含まれているオーディオデータ４３におけるリニアＰＣＭ方式としてのサンプリング周波数やオーディオデータ４３として含まれているチャネル数（一のスピーカから出力されるオーディオデータにより一のチャネルが構成されており、例えば、左と右のスピーカから出力されるべきオーディオデータを含む場合には、チャネル数は「２」となる。）若しくは当該オーディオパックＡＰに含まれているオーディオデータ４３におけるリニアＰＣＭ方式としての量子化ビット数等の情報であるオーディオデータ情報６８と、音声情報としての実体部分であり、複数のオーディオフレームＡＦにより構成されているオーディオデータ４３とにより構成されている。上記の構成において、オーディオパックＡＰのうち、上記パックヘッダ６４以外の部分がオーディオパケットＡＰＴを構成することとなる。
【００７０】
ここで、リニアＰＣＭ方式におけるオーディオフレームＡＦは、ディジタル化のみが施され、圧縮されていない音声情報を含むものであり、再生すべき音声情報を再生時間軸上で１／６００秒毎に単純に区切ったものである。従って、夫々のオーディオフレームＡＦはそれ自体ではヘッダとなるべき「７ＦＦｈ」「ＦＦＦｈ」等の特殊なパターンを有していない。そこで、以後、オーディオフレームＡＦに含まれる複数の標本値データのうち、先頭の標本値データを便宜上ヘッダと呼ぶこととする。
【００７１】
更に、オーディオフレームＡＦは、当該オーディオフレームＡＦに含まれる音声情報と他の映像情報又は副映像情報との同期を取るための処理単位としての意義を有している。
【００７２】
なお、夫々のオーディオフレームＡＦに含まれるデータ数は同じで固定値とされている。次に、ドルビーＡＣ３方式に基づくオーディオパックについて図３（ｂ）を用いて説明する。
【００７３】
図３（ｂ）に示すように、ドルビーＡＣ３方式に基づくオーディオパックＡＰは、上記パックヘッダ６４を先頭に、上記パケットヘッダ６５と、上記サブストリームＩＤ情報６６と、後述のファーストアクセスユニットポインタ若しくはアクセスユニット数等が記述されているオーディオフレーム情報６７と、音声情報としての実体部分であり、複数のオーディオアクセスユニットＡＡｕにより構成されているオーディオデータ４３とにより構成されている。上記の構成において、オーディオパックＡＰのうち、上記パックヘッダ６４以外の部分がオーディオパケットＡＰＴを構成することとなる。
【００７４】
ここで、ドルビーＡＣ３方式におけるオーディオアクセスユニットＡＡｕは、圧縮された音声情報を含むものであり、一のオーディオアクセスユニットＡＡｕのみで元のオーディオデータを復元する（オーディオアクセスユニットＡＡｕに含まれている音声情報を伸張する）ことが可能な情報単位である。そして、夫々にオーディオアクセスユニットＡＡｕの開始であることを示すヘッダＨ（オーディオアクセスユニットＡＡｕ内に含まれているオーディオデータ４３内に存在する確立が極めて少ないパターン（例えば、「０８７７ｈ」、「７ＦＦｈ」、「ＦＦＦｈ」等）を有する。）を有している。なお、夫々のオーディオアクセスユニットＡＡｕに含まれる音声情報の量は同じで固定値とされるのが一般的であるが、一のオーディオアクセスユニットＡＡｕに含まれる音声情報量を可変とする場合には、上記ヘッダＨ内に、当該ヘッダが含まれているオーディオアクセスユニットＡＡｕに含まれる総データ量に関する情報が記述される。
【００７５】
以上説明した図１乃至図３に示す階層構造の記録フォーマットにおいて、夫々の区分は、ＤＶＤ１内に記録させる記録情報の製作者（以下、単に製作者という。）がその意図に応じて自在に区分設定をして記録させるものである。これらの区分毎に後述の論理構造に基づいて再生することにより、変化に富んだ種々の再生が可能となるのである。
【００７６】
次に、図１乃至図３に示す物理的な区分により記録された情報を組合わせた論理的フォーマット（論理構造）について図４を用いて説明する。なお、図４に示す論理構造は、その構造で実際にＤＶＤ１上に情報が記録されているのではなく、図４に示す論理構造で図１乃至図３に示す各データ（特にセル２０）を組合わせて再生するための情報（アクセス情報又は時間情報等）がＤＶＤ１上の、特にコントロールデータ１１の中に記録されているものである。
【００７７】
説明の明確化のために、図４の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが区分を識別してコマンドによってアクセスできる最小の論理的単位でもある。なお、このプログラム６０を一又は複数個纏めたものを視聴者が自由に選択して視聴することができる最小単位として製作者が定義することもでき、この単位をＰＴＴ（Part Of Title ）という。
【００７８】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを製作者が行うことも可能となっている。
【００７９】
ここで、一のセル２０の番号については、当該セル２０を図１に示す物理フォーマットにおいて取り扱う際にはセルＩＤ番号として取り扱われ（図１中、セルＩＤ＃と示す。）、図４に示す論理フォーマットにおいて取り扱う際には後述のＰＧＣＩ中の記述順にセル番号として取り扱われる。
【００８０】
次に、複数のプログラム６０を組合わせて一のＰＧＣ（Program Chain ）６１が製作者の意図に基づいて論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式［本実施の形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つ、又はループ再生とランダム再生又はシャッフル再生の組合わせによる再生方法をＰＧＣ６１毎に製作者が選択して再生させるようにすることができる。］及び各種コマンド（ＰＧＣ６１又はセル２０毎に製作者が指定可能なコマンド）が含まれている。なお、ＰＧＣＩのＤＶＤ１上の記録位置は、上述の通りコントロールデータ１１（図１参照）内であるが、当該ＰＧＣＩがビデオマネージャ２内のメニューに関するＰＧＣＩである場合には、当該ＰＧＣＩの記録位置は、ビデオマネージャ２に含まれるコントロールデータ（図示を省略する。）内である。
【００８１】
また、一のＰＧＣ６１には、上記ＰＧＣＩの他に、実体的な映像及び音声等のデータがプログラム６０の組合わせとして（換言すれば、セル２０の組合わせとして）含まれることとなる。
【００８２】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【００８３】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００８４】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。
【００８５】
また、図４に示す一のＶＴＳ６３に相当する情報は、図１に示す一のＶＴＳ３に含まれている情報に対応している。すなわち、ＤＶＤ１には、図４に示すＶＴＳ６３内に論理上含まれる全ての情報が一のＶＴＳ３として纏めて記録されていることとなる。
【００８６】
以上説明した論理フォーマットに基づいて、物理構造において区分された情報を製作者が指定することにより、視聴者が見るべき映像（映画等）が形成されるのである。
【００８７】
なお、図１に示す物理構造の説明においては、内容の理解の容易化のため、複数のセル２０がＩＤ番号の順に記録されているとして説明したが、実施の形態のＤＶＤ１においては、実際には、一のセル２０が図５に示す複数のインターリーブドユニットＩＵに分割されて記録される場合がある。
【００８８】
すなわち、例えば図５に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に纏められて相互に分離して記録されていると、例えば、ＰＧＣ６１Ａの場合には、ＩＤ番号２のセル２０のＤＶＤ１上の記録位置からＩＤ番号４のセル２０のＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００８９】
そこで、図５に示す場合には、ＩＤ番号２のセル２０とＩＤ番号３のセル２０を、後述の再生装置におけるトラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけ再生装置におけるピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【００９０】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生映像を視聴することができるのである。
【００９１】
なお、上記インターリーブドユニットＩＵを形成する際には、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【００９２】
以上説明したような種々の階層の情報を記録する必要があるため、上述の記録フォーマットを有する記録情報は、上記ＤＶＤ１のように、一本の映画を記録する他に、当該映画に対応する音声又は字幕等について、複数種類の言語の音声又は字幕をも同一の光ディスクに記録することが可能な大きな記憶容量を有する情報記録媒体に特に適している。
【００９３】
次に、上記の物理構造及び論理構造を有する映像情報及び音声情報のうち、特に本発明に係るオーディオフレーム情報６７について、図６乃至図８を用いて説明する。
【００９４】
始めに、図６を用いて、オーディオフレーム情報６７に含まれる情報と実際のオーディオパケットＡＰＴとの関係について説明する。なお、図６において、図６上段はオーディオパケットＡＰＴ（本実施の形態ではオーディオパックＡＰに相当する。）毎に分割される前の、パックヘッダ６４等を含まないオーディオデータ４３のみの状態を示したものであり、図６下段は、図６上段に示すオーディオデータ４３を各オーディオパケットＡＰＴに分割すると共に必要なパックヘッダ６４等を多重した状態を示している。また、図６下段においては、上述のオーディオパケットＡＰＴの構成の内、パケットヘッダ６５、サブストリームＩＤ情報６６及びオーディオデータ情報６８は説明の理解の容易化のため記載を省略している。
【００９５】
図６に示すように、オーディオフレーム情報６７内には、ファーストアクセスユニットポインタ及びオーディオパケットＡＰＴに含まれる全てのオーディオアクセスユニットＡＡｕ又はオーディオフレームＡＦのヘッダ数を示すオーディオフレーム（オーディオアクセスユニット）数が少なくとも記述されている。
【００９６】
このうち、ファーストアクセスユニットポインタは、オーディオパケットＡＰＴに含まれるオーディオアクセスユニットＡＡｕ又はオーディオフレームＡＦであって、当該オーディオアクセスユニットＡＡｕ又はオーディオフレームＡＦの先頭がオーディオパケットＡＰＴに含まれているオーディオアクセスユニットＡＡｕ又はオーディオフレームＡＦのうち、第１番目のオーディオアクセスユニットＡＡｕ又はオーディオフレームＡＦの開始位置（オーディオデータ情報６８（リニアＰＣＭ方式の場合）又はオーディオフレーム情報６７（ドルビーＡＣ３方式の場合）の終了位置からのバイト数）を示す情報である。すなわち、夫々のファーストアクセスユニットポインタには、図６下段に示すように、その先頭が当該ファーストアクセスユニットポインタが含まれるオーディオパケットＡＰＴに含まれているオーディオアクセスユニットＡＡｕ又はオーディオフレームＡＦのうち、第１番目のオーディオアクセスユニットＡＡｕ又はオーディオフレームＡＦ（図６下段中、矢印で示す。）の開始位置が記述されるのである。
【００９７】
なお、上述のように、オーディオフレームＡＦにはヘッダとなる特殊なパターンは存在しないが、図６上段においては、オーディオアクセスユニットＡＡｕとの関連で説明の理解の容易のために一のオーディオフレームＡＦの先頭の標本値データを便宜上ヘッダと定義し、ヘッダＨを記述している。
【００９８】
また、図６下段に示すように、一のオーディオフレームＡＦ又はオーディオアクセスユニットＡＡｕが二つのオーディオパケットＡＰＴに分割されて記録されていても、再生の際には、図６上段に示すように元の一連のオーディオフレームＡＦ又はオーディオアクセスユニットＡＡｕに復元されて再生されることとなる。
【００９９】
次に、図７を用いて、リニアＰＣＭ方式におけるファーストアクセスユニットポインタ及び実際のＤＶＤ１上のオーディオデータ４３と当該オーディオデータ４３のみを抽出したオーディオストリームとの関係について具体的に説明する。なお、図７において、図７上段はＤＶＤ１上のオーディオパックＡＰの構造を示しており、図７中段は、オーディオパックＡＰを含むＤＶＤ１上の各パックからなるシステムストリームを示しており、図７下段はオーディオデータ４３のみを抽出したオーディオストリームであるエレメンタリーストリームを示している。
【０１００】
図７中段に示すように、ＤＶＤ１上においては、各オーディオパックＡＰは、他のパックであるビデオパック又はサブピクチャパックと共にナビパック４１を先頭としてＶＯＢユニット３０を構成して記録されている（図１参照）。
【０１０１】
そして、一のオーディオパックＡＰは、上述のように、パックヘッダ６４と、パケットヘッダ６５と、サブストリームＩＤ情報６６と、オーディオフレーム情報６７と、オーディオデータ情報６８と、複数のオーディオフレームＡＦとにより構成されている。
【０１０２】
ここで、オーディオフレーム情報６７については、例えば、オーディオパックＡＰa においては、図７上段左に示すように、オーディオフレーム数は「３」であり、ファーストアクセスユニットポインタとして記述されている位置情報は、実線矢印で示すオーディオフレームＡＦの先頭位置のオーディオデータ情報６８の終了位置からのバイト数が記述されている。
【０１０３】
また、オーディオパックＡＰf においては、図７上段右に示すように、オーディオフレーム数は「１」であり、ファーストアクセスユニットポインタとして記述されている位置情報は、実線矢印で示すオーディオフレームＡＦの先頭位置のオーディオデータ情報６８からのバイト数が記述されている。なお、オーディオパックＡＰf は、当該オーディオパックＡＰf 内に記録可能なオーディオデータ４３のデータ量が、実際にオーディオパックＡＰf 内に記録されるべきオーディオデータ４３のデータ量より多い場合を示しており、この場合には、残ったオーディオパックＡＰf 内の記録領域には、オーディオデータ４３の再生時に再生されない（読み跳ばされる）無再生情報としてパディング情報（例えば、「００…」等が記述される。）を含むパディングパケットＰＰが含まれている。
【０１０４】
そして、これらのオーディオパックＡＰからパックヘッダ６４等を除いてオーディオデータ４３のみ再生時に抽出すると、図７下段に示すオーディオフレームＡＦが連続したオーディオストリーム（オーディオデータ）が得られるのである。このとき、図７下段に示すに示すオーディオストリームにおいては、オーディオデータ４３は圧縮されていない状態となっている。
【０１０５】
次に、図８を用いて、ドルビーＡＣ３方式におけるファーストアクセスユニットポインタ及び実際のＤＶＤ１上のオーディオデータ４３と当該オーディオデータ４３のみを抽出したオーディオストリームとの関係について具体的に説明する。なお、図８において、図８上段はＤＶＤ１上のオーディオパックＡＰの構造を示しており、図８中段はオーディオパックＡＰを含むＤＶＤ１上の各パックからなるシステムストリームを示しており、図８下段はオーディオデータ４３のみを抽出したオーディオストリームであるエレメンタリーストリームを示している。
【０１０６】
図８中段に示すように、ＤＶＤ１上においては、各オーディオパックＡＰは、リニアＰＣＭの場合と同様に、他のパックであるビデオパック又はサブピクチャパックと共にナビパック４１を先頭としてＶＯＢユニット３０を構成して記録されている（図１参照）。
【０１０７】
そして、一のオーディオパックＡＰは、パックヘッダ６４と、パケットヘッダ６５と、サブストリームＩＤ情報６６と、オーディオフレーム情報６７と、複数のオーディオフレームＡＦとにより構成されている。
【０１０８】
ここで、オーディオフレーム情報６７については、例えば、オーディオパックＡＰg においては、図８上段左に示すように、オーディオフレーム数（ドルビーＡＣ３方式においてはオーディオアクセスユニット数を示す。）は「３」であり、ファーストアクセスユニットポインタとして記述されている位置情報は、実線矢印で示すオーディアクセスユニットＡＡｕの先頭位置のオーディオフレーム情報６７の終了位置からのバイト数が記述されている。
【０１０９】
また、オーディオパックＡＰl においては、図８上段右に示すように、オーディオフレーム数は「１」であり、ファーストアクセスユニットポインタとして記述されている位置情報は、実線矢印で示すオーディオアクセスユニットＡＡｕの先頭位置のオーディオフレーム情報６７からのバイト数が記述されている。なお、オーディオパックＡＰl は、上記オーディオパックＡＰf （図７参照）と同様に当該オーディオパックＡＰl 内に記録可能なオーディオデータ４３のデータ量が、実際にオーディオパックＡＰl 内に記録されるべきオーディオデータ４３のデータ量より多い場合を示しており、この場合には、残ったオーディオパックＡＰf 内の記録領域には、パディング情報を含むパディングパケットＰＰが含まれている。
【０１１０】
そして、これらのオーディオパックＡＰからパックヘッダ６４等を除いてオーディオデータ４３のみ再生時に抽出すると、図８下段に示すオーディオアクセスユニットＡＡｕが連続したオーディオストリーム（オーディオデータ）が得られるのである。このとき、図８下段に示すに示すオーディオストリームにおいては、オーディオデータ４３は圧縮された状態となっている。
【０１１１】
なお、オーディオフレーム情報６７内には、図９に示すように、ファーストアクセスユニットポインタ２００とオーディオフレーム数情報２０１とが、夫々１６ビットと８ビットの領域を占有して記述されている。
【０１１２】
以上説明したファーストアクセスユニットポインタ２００をオーディオフレーム情報６７内に記述することにより、オーディオデータ４３の再生時において、当該ファーストアクセスユニットポインタ２００として記述されている位置情報を用いて、オーディオパケットＡＰＴに含まれているオーディオアクセスユニットＡＡｕ又はオーディオフレームＡＦの先頭を迅速に検索し、そこから、ドルビーＡＣ３方式又はリニアＰＣＭ方式に対応した再生処理を行うことができるのである。
【０１１３】
（II）記録装置の実施の形態
次に、上述の制御情報、映像情報及び音声情報をＤＶＤ１に記録するための請求項１乃至３に記載の発明に対応する記録装置の実施の形態について、図１０及び図１１を用いて説明する。
【０１１４】
図１０に示すように、実施の形態に係る記録装置Ｓ１は、ＶＴＲ（Video TapeRecorder ）７０と、メモリ７１と、信号処理部７２と、ハードディスク装置７３及び７４と、コントローラ７５と、多重器７６と、変調器７７と、記録手段としてのマスタリング装置７８とにより構成されている。
【０１１５】
また、図１１に示すように、信号処理部７２は、処理部７２Ａと、信号処理手段としての処理部７２Ｂと、分割部７２Ｃ及び分割手段としての分割部７２Ｄと、多重手段としての多重部７２Ｅと、制御情報生成部７２Ｆとにより構成されている。
【０１１６】
次に、動作を説明する。ＶＴＲ７０には、ＤＶＤ１に記録すべき音声情報や映像情報等の素材である記録情報Ｒが夫々の情報毎に一時的に記録されている。そして、ＶＴＲ７０に一時的に記録された記録情報Ｒは、信号処理部７２からの要求により音声情報又は映像情報毎に当該信号処理部７２に出力される。
【０１１７】
信号処理部７２における処理部７２Ａは、入力された映像情報をＡ／Ｄ変換した後、ＭＰＥＧ２方式を用いて圧縮処理し、ＧＯＰ５２により構成される処理映像信号Ｓrvを出力する。そして、分割部７２Ｃは、ＶＴＲ７０から出力される上記記録情報Ｒに対応したタイムコードＴt に基づいて、処理映像信号Ｓrvを一又は複数のＧＯＰ５２を含むビデオパック（図１参照）としての記録すべき単位に分割し、分割処理映像信号Ｓrvp を出力する。
【０１１８】
一方、信号処理部７２に含まれる処理部７２Ｂは、音声情報をリニアＰＣＭ方式で記録する場合には、入力された音声情報を例えば２４ビットの量子化ビット数により量子化して処理音信号Ｓraを出力する。
【０１１９】
また、音声情報をドルビーＡＣ３方式で記録する場合には、入力された音声情報をドルビーＡＣ３方式により圧縮処理して複数のオーディオアクセスユニットＡＡｕを含む処理音信号Ｓraを出力する。
【０１２０】
そして、分割部７２Ｄは、リニアＰＣＭ方式で音声情報を処理する場合には、処理音信号Ｓraに含まれている各量子化タイミングにおいて量子化された２４ビットのオーディオデータ４３を、当該量子化タイミング毎に上位１６ビットの上位ビットデータと下位８ビットの下位ビットデータとに分割すると共に、当該上位ビットデータと下位ビットデータとを所定数づつ含むオーディオフレームＡＦを生成し、更に一又は複数のオーディオフレームＡＦを含むオーディオパックＡＰ毎に分割し、分割処理音信号Ｓrap を出力する。
【０１２１】
このとき、分割処理音信号Ｓrap に含まれるオーディオフレームＡＦは、各量子化タイミングに対応する上位ビットデータから抽出された偶数番目の量子化タイミングに対応する上位ビットデータと奇数番目の量子化タイミングに対応する上位ビットデータとにより構成される上位ビットデータブロックと、各量子化タイミングに対応する下位ビットデータから抽出された偶数番目の量子化タイミングに対応する下位ビットデータと奇数番目の量子化タイミングに対応する下位ビットデータとにより構成される下位ビットデータブロックとが含まれている。
【０１２２】
一方、分割部７２Ｄは、ドルビーＡＣ３方式で音声情報を処理する場合には、処理音信号Ｓraに含まれている圧縮処理されオーディオアクセスユニットＡＡｕから構成されているオーディオデータ４３を、一又は複数個のオーディオアクセスユニットＡＡｕを含み、オーディオパックＡＰ毎に分割し、分割処理音信号Ｓrap を出力する。
【０１２３】
なお、分割処理音信号Ｓrap の段階では、オーディオパックＡＰ及びオーディオパケットＡＰＴを構成するためのパックヘッダ６４、パケットヘッダ６５、オーディオフレーム情報６７等はまだ多重されていない。
【０１２４】
一方、制御情報生成部７２Ｆにおいて、後述の制御情報Ｓi に基づき、パックヘッダ６４、パケットヘッダ６５、サブストリームＩＤ情報６６、ファーストアクセスユニットポインタ２００及びオーディオフレーム数情報２０１を含むオーディオフレーム情報６７並びにオーディオデータ情報６８（オーディオデータ情報６８についてはリニアＰＣＭ方式で音声情報を処理する場合のみ。）等を生成し、ヘッダ信号Ｓhdとして出力する。
【０１２５】
次に、多重部７２Ｅにおいて、上記ヘッダ信号Ｓhdに含まれるパックヘッダ６４、パケットヘッダ６５、サブストリームＩＤ情報６６、ファーストアクセスユニットポインタ２００及びオーディオフレーム数情報２０１を含むオーディオフレーム情報６７並びにオーディオデータ情報６８等が分割処理音信号Ｓrap に多重され、最終的なオーディオパックＡＰが形成される。
【０１２６】
同様に、多重部７２Ｅにおいて、分割処理映像信号Ｓrvp に対してパックヘッダ等が多重され、ビデオパックが形成される。そして、タイムコードＴt に基づき、ビデオパックとオーディオパックＡＰとが各パック毎に多重され、多重処理信号Ｓr として出力される。その後、出力された多重処理信号Ｓr は、ハードディスク装置７３に一時的に記憶される。この多重処理信号Ｓr においては、図１又は図７中段若しくは図８中段に示すように、ビデオパックとオーディオパックＡＰとがパック毎に多重された状態となっている。
【０１２７】
これらと並行して、メモリ７１は、上記記録情報Ｒの再生を制御するための制御情報（図１における、ビデオマネージャ２、コントロールデータ１１及びナビパック４１並びに夫々のオーディオパックＡＰを構成するためのパックヘッダ等の各制御情報等）が記載されたキューシートＳＴに基づき予め入力された当該制御情報を一時的に記憶し、信号処理部７２に含まれる制御情報生成部７２Ｆからの要求に基づいて制御情報信号Ｓi として出力する。この制御情報信号Ｓi に基づいて生成されたパックヘッダ６４、パケットヘッダ６５、サブストリームＩＤ情報６６、オーディオフレーム情報６７等を含むヘッダ信号Ｓhdは、上述の如く、多重部７２Ｅに出力される。
【０１２８】
そして、制御情報生成部７２Ｆは、上記タイムコードＴt 及びメモリ７１から出力される制御情報信号Ｓi に基づき、タイムコードＴt を参照して制御情報からＰＣＩデータ５０及びＤＳＩデータ５１を分離し、対応するＰＣＩ情報信号Ｓpci 及びＤＳＩ情報信号Ｓdsi として出力し、当該ＰＣＩ情報信号Ｓpci 及びＤＳＩ情報信号Ｓdsi がハードディスク装置７４に一時的に記憶される。このとき、ＰＣＩデータ５０及びＤＳＩデータ５１以外の他の制御情報については、図１０及び図１１においては図示を省略しているが、ＰＣＩデータ５０及びＤＳＩデータ５１と同様に制御情報生成部７２Ｇにおいて夫々に分離され、ハードディスク装置７４に記憶される。
【０１２９】
以上の処理が記録情報Ｒ全体について実行される。記録情報Ｒの全てについて上記の処理が終了すると、コントローラ７５は、ハードディスク装置７３から多重処理信号Ｓr を読み出すとともにハードディスク装置７４からＰＣＩ情報信号Ｓpci 及びＤＳＩ情報信号Ｓdsi 並びにその他の制御情報を読み出し、これらに基づいてＰＣＩデータ５０及びＤＳＩデータ５１並びにその他の制御信号を夫々独立に含む付加情報を生成し、付加情報信号Ｓa としてハードディスク装置７４に一時的に再記録する。これは、各制御情報の中には、多重処理信号Ｓr の生成結果によって内容が定まるものがあるからである。
【０１３０】
一方、コントローラ７５は、上記信号処理部７２、ハードディスク装置７３及び７４の夫々の動作の時間管理を行い、ＰＣＩ情報信号Ｓpci 及びＤＳＩ情報信号Ｓdsi を含む付加情報に対応する付加情報信号Ｓa をハードディスク装置７４から読み出して出力すると共に、多重処理信号Ｓr と付加情報信号Ｓa を時間軸多重するための情報選択信号Ｓccを生成して出力する。
【０１３１】
その後、多重処理信号Ｓr と付加情報信号Ｓa は、コントローラ７５からの情報選択信号Ｓcc に基づき、ハードディスク装置７３又は７４から読み出され、多重器７６により時間軸多重されて情報付加多重処理信号Ｓapとして出力される。この情報付加多重処理信号Ｓapの段階では、記録すべき情報は、コントローラ７５の情報選択信号Ｓccを用いた切り換え動作によって制御情報と映像情報及び音声情報とが合成され、図１又は図７中段若しくは図８中段に示す物理構造（物理フォーマット）となっている。また、各オーディオパックＡＰは、夫々の処理方式（リニアＰＣＭ方式又はドルビーＡＣ３方式）に対応して、図３（ａ）又は図３（ｂ）に示す構造となっている。更に、ＰＣＩデータ５０及びＤＳＩデータ５１については、他の制御情報と独立してナビパック４１に含まれていることとなる。
【０１３２】
なお、記録すべき情報の中に副映像情報が含まれている場合には、図示しない他のハードディスク装置から読み出されて信号処理部７２に入力され、映像情報及び音声情報と同様に信号処理され、情報付加多重処理信号Ｓapに含まれる。
【０１３３】
その後、変調器７７は、出力された情報付加多重処理信号Ｓapに対してリードソロモン符号等のエラー訂正コード（ＥＣＣ）の付加及び８−１６変調等の変調を施してディスク記録信号Ｓm を生成し、マスタリング装置７８に出力する。
【０１３４】
最後に、マスタリング装置７８は、当該ディスク記録信号Ｓm を光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【０１３５】
以上説明したように、実施の形態の記録装置Ｓ1 によれば、オーディオパケットＡＰＴ内のオーディオフレームＡＦ又はオーディオアクセスユニットＡＡｕの開始位置を示すファーストアクセスユニットポインタ２００がオーディオデータ４３と共にＤＶＤ１に記録されるので、オーディオデータ４３の再生時において、当該ファーストアクセスユニットポインタ２００に基づいてオーディオフレームＡＦ又はオーディオアクセスユニットＡＡｕの開始位置を迅速に検索し、それに基づいてオーディオフレームＡＦ毎又はオーディオアクセスユニットＡＡｕ毎のオーディオデータ４３の再生処理を行うことができる。
【０１３６】
また、オーディオデータ４３がドルビーＡＣ３方式により圧縮される場合には、オーディオアクセスユニットＡＡｕの先頭を迅速に検索して当該オーディオアクセスユニットＡＡｕ毎に伸張処理ができる。
【０１３７】
更に、オーディオデータ４３がリニアＰＣＭ方式により量子化される場合には、オーディオフレームＡＦの先頭を迅速に検索して当該オーディオフレームＡＦ毎に再生処理ができる。
【０１３８】
（III）再生装置の実施の形態
次に、上記の記録装置Ｓ１によりＤＶＤ１に記録された情報を再生するための請求項７乃至９に記載の発明に対応する再生装置の実施の形態を、図１２乃至図１４を用いて説明する。
【０１３９】
図１２に示すように、実施の形態に係る再生装置Ｓ２は、検出復調手段としてのピックアップ８０と、検出復調手段としての復調訂正部８１と、ストリームスイッチ８２及び８４と、トラックバッファ８３と、システムバッファ８５と、抽出手段としてのデマルチプレクサ８６と、ＶＢＶ（Video Buffer Verifier ）バッファ８７と、ビデオデコーダ８８と、サブピクチャバッファ８９と、サブピクチャデコーダ９０と、混合器９１と、オーディオバッファ９２と、再生処理手段としてのオーディオデコーダ９３と、ＰＣＩバッファ９４と、ＰＣＩデコーダ９５と、ハイライトバッファ９６と、ハイライトデコーダ９７と、入力部９８と、ディスプレイ９９と、システムコントローラ１００と、ドライブコントローラ１０１と、スピンドルモータ１０２と、スライダモータ１０３とにより構成されている。なお、図１２に示す構成は、再生装置Ｓ2 の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０１４０】
次に、動作を説明する。ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓp を出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【０１４１】
ピックアップ８０から出力された検出信号Ｓp は、復調訂正部８１に入力され、復調処理及び誤り訂正処理が行われて復調信号Ｓdmが生成され、ストリームスイッチ８２及びシステムバッファ８５に出力される。
【０１４２】
復調信号Ｓdmが入力されたストリームスイッチ８２は、ドライブコントローラ１０１からのスイッチ信号Ｓsw1 によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【０１４３】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓdmを連続的に出力し、当該不連続による再生の中断を解消するためのものである。
【０１４４】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2 により開閉が制御される。
【０１４５】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ビデオマネージャ２等）又はＶＴＳ３毎のコントロールデータ１１を蓄積して制御情報Ｓc としてシステムコントローラ１００に出力すると共に、再生中にナビパック４１毎のＤＳＩデータ５１を一時的に蓄積し、システムコントローラ１００に制御情報Ｓc として出力する。
【０１４６】
ストリームスイッチ８４を介して復調信号Ｓdmが連続的に入力されたデマルチプレクサ８６においては、当該復調信号Ｓdmから各パック毎にビデオデータ４２、オーディオデータ４３、サブピクチャデータ４４及びナビパック４１毎のＰＣＩデータ５０を抽出し、ビデオ信号Ｓv 、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、オーディオデータ４３又はサブピクチャデータ４４として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【０１４７】
このとき、デマルチプレクサ８６は、各パック（オーディオパックＡＰを含む。）及びパケット（オーディオパケットＡＰＴを含む。）からパックヘッダ及びパケットヘッダ等を抽出し、夫々に含まれる情報をヘッダ信号Ｓhdとしてシステムコントローラ１００に出力する。このヘッダ信号Ｓhdには、デマルチプレクサ８６において分離されたオーディオパックＡＰのパックヘッダ６４、パケットヘッダ６５、サブストリームＩＤ情報６６、オーディオフレーム情報６７、オーディオデータ情報６８等が含まれている。
【０１４８】
また、オーディオ信号Ｓadには、図３に示す形態のオーディオパックＡＰに分割されたオーディオデータ４３が含まれており、各オーディオパックＡＰには、図３に示すようなオーディオフレームＡＦ又はオーディオアクセスユニットＡＡｕが複数個含まれていることとなる。
【０１４９】
ビデオ信号Ｓv が入力されるＶＢＶバッファ８７は、ＦＩＦＯメモリ等により構成され、ビデオ信号Ｓv を一時的に蓄積し、ビデオデコーダ８８に出力する。ＶＢＶバッファ８７は、ＭＰＥＧ２方式により圧縮されているビデオ信号Ｓv における各ピクチャ（図２参照）毎のデータ量のばらつきを補償するためのものである。そして、データ量のばらつきが補償されたビデオ信号Ｓv がビデオデコーダ８８に入力され、ＭＰＥＧ２方式により復調が行われて復調ビデオ信号Ｓvdとして混合器９１に出力される。
【０１５０】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれるサブピクチャデータ４４を、当該サブピクチャデータ４４に対応するビデオデータ４２と同期して出力するためのものである。そして、ビデオデータ４２との同期が取られた副映像信号Ｓspがサブピクチャデコーダ９０に入力され、復調が行われて復調副映像信号Ｓspd として混合器９１に出力される。
【０１５１】
なお、副映像信号Ｓspが、上記メニュー画面を構成して表示するために必要な、枠、選択ボタン等を構成するための映像情報を含んでいる場合には、システムコントローラ１００からのハイライト制御信号Ｓchに基づき、表示すべき選択ボタン等の表示状態の変更を行って出力する。
【０１５２】
ビデオデコーダ８８から出力された復調ビデオ信号Ｓvd及びサブピクチャデコーダ９０から出力された復調副映像信号Ｓspd （対応する復調ビデオ信号Ｓvdとの同期が取れている。）は、混合器９１により混合され、最終的な表示すべき映像信号Ｓvpとして図示しないＣＲＴ（Cathod Ray Tube ）等の表示部に出力される。次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、システムコントローラ１００から出力されるヘッダ制御信号Ｓhcに基づいて、オーディオ信号Ｓadを対応する映像情報を含むビデオ信号Ｓv 又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓad（図７下段又は図８下段の形態となっている。）は、オーディオデコーダ９３に出力され、システムコントローラ１００から出力されるヘッダ制御信号Ｓhcに基づいて、リニアＰＣＭ方式における再生処理又はドルビーＡＣ３方式におけるデコード処理が施されて復調オーディオ信号Ｓadd として図示しないスピーカ等に出力される。オーディオデコーダ９３における処理については、後程詳述する。
【０１５３】
なお、デマルチプレクサ８６において分離されたオーディオパックＡＰに上記（図７上段又は図８上段参照）のパディングパケットＰＰが含まれている場合には、パディングパケットＰＰであることを示すパケットヘッダ６５内の情報（ヘッダ信号Ｓhdとしてシステムコントローラ１００に入力されている。）に基づくヘッダ制御信号Ｓhcに基づいて、オーディオデコーダ９２において当該パディングパケットＰＰを破棄する（読み跳ばす）ことにより、当該パディングパケットＰＰがオーディオバッファ９２から出力されることはなく、オーディオデコーダ９３には、図７下段又は図８下段に示すオーディオストリームのみが入力される。
【０１５４】
また、所望の情報へのアクセス直後の再生等において一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓadd の出力を停止する。
【０１５５】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩデータ５０と当該ＰＣＩデータ５０が対応するビデオデータ４２、オーディオデータ４３又はサブピクチャデータ４４等とを同期させ、当該ビデオデータ４２、オーディオデータ４３又はサブピクチャデータ４４等にＰＣＩデータ５０を適用させるためのものである。そして、ＰＣＩバッファ９４により対応するビデオデータ４２、オーディオデータ４３又はサブピクチャデータ４４等と同期したＰＣＩ信号Ｓpcは、ＰＣＩデコーダ９５によりＰＣＩデータ５０に含まれるハイライト情報が分離され、ハイライト信号Ｓhiとしてハイライトバッファ９６に出力されると共に、ＰＣＩデータ５０のハイライト情報以外の部分がＰＣＩ情報信号Ｓpciとしてシステムコントローラ１００に出力される。
【０１５６】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための映像情報が含まれている副映像信号Ｓspに対応して、ハイライト情報に対応する選択項目（選択ボタン）の表示状態の変更が正確に行われるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhid としてシステムコントローラ１００に出力される。この復調ハイライト信号Ｓhid の中に上記システムコントローラ１００内のレジスタを設定するための情報が含まれている。
【０１５７】
ここで、システムコントローラ１００は、当該復調ハイライト信号Ｓhid に基づき、ハイライト情報による表示状態の変更を行うべく、上記のハイライト制御信号Ｓchを出力することとなる。このとき、システムコントローラ１００は、復調ハイライト信号Ｓhid に含まれるハイライト情報の有効期間を示す有効期間情報に基づいて当該ハイライト情報に基づくメニュー画面等を用いた選択動作を有効とすべく、入力部９８からの入力信号Ｓinによる選択動作を受け付けると共に、上記ハイライト制御信号Ｓchを出力することとなる。
【０１５８】
更に、システムコントローラ１００は、システムバッファ８５から入力される制御情報Ｓc 、デマルチプレクサ８６から入力されるヘッダ信号Ｓhd、システムＰＣＩデコーダ９５から入力されるＰＣＩ情報信号Ｓpci 及びリモコン等の入力部９８から入力される入力信号Ｓinに基づき、それらの信号に対応した正しい再生を行うために上記のスイッチ信号Ｓsw2 、ストリーム選択信号Ｓlc、ヘッダ制御信号Ｓhc、ポーズ信号Ｓca、ハイライト制御信号Ｓchを出力すると共に、再生装置Ｓ2 の動作状況等を表示するために表示信号Ｓdpを液晶表示装置等のディスプレイ９９に出力する。
【０１５９】
更にまた、システムコントローラ１００は、上記ＤＳＩ情報信号Ｓdsi 等により、シームレス再生のためにサーチ等のトラックジャンプの処理が必要であることを検出したときには、ドライブコントローラ１０１に対して、当該トラックジャンプの処理に対応するシームレス制御信号Ｓcsl を出力する。
【０１６０】
そして、シームレス制御信号Ｓcsl が入力されたドライブコントローラ１０１は、スピンドルモータ１０２又はスライダモータ１０３に対して駆動信号Ｓd を出力する。この駆動信号Ｓd により、スピンドルモータ１０２又はスライダモータ１０３は、光ビームＢが再生すべきＤＶＤ１上の記録位置に照射されるようにピックアップ２を移動させる（図１２破線矢印参照）と共に、ＤＶＤ１の回転数をＣＬＶ（Constant Linear Velocity：線速度一定）制御する。これと並行して、ドライブコントローラ１０１は、ピックアップ２が移動中であり復調訂正部８１から復調信号Ｓdmが出力されないときには、シームレス制御信号Ｓcsl に基づきスイッチ信号Ｓsw1 を出力し、ストリームスイッチ８２を開とすると共に、復調信号Ｓdmが出力され始めると、ストリームスイッチ８２を閉成して復調信号Ｓdmをトラックバッファ８３に出力する。
【０１６１】
次に、本発明に係るファーストアクセスユニットポインタ２００を用いたオーディオデータ４３のデコード処理の動作について、図１３に示すフローチャートを用いて説明する。なお、図１３のフローチャートのうち、ステップＳ１乃至Ｓ８で示される動作は主としてデマルチプレクサ８６、オーディオバッファ９２及びシステムコントローラ１００において実行される動作である。また、ステップＳ９及びＳ１０で示される動作は、主としてオーディオデコーダ９３において実行される動作である。
【０１６２】
デマルチプレクサ８６等におけるファーストアクセスユニットポインタ２００を用いた再生処理においては、始めに、トラックバッファ８３から連続的に出力される復調信号Ｓdmに含まれているパケットヘッダ６５をデマルチプレクサ８６が検出することによりオーディオパックＡＰであることを認識したか否かがデマルチプレクサ８６において判定され（ステップＳ１）、検出しないときは（ステップＳ１；ＮＯ）検出するまでビデオパック等の他のパックの処理を行い、検出したときは（ステップＳ１；ＹＥＳ）、当該オーディオパックＡＰに含まれるオーディオフレーム情報６７をデマルチプレクサ８６において分離する（ステップＳ２）。そして取得したオーディオフレーム情報６７に含まれるファーストアクセスユニットポインタ２００を参照してオーディオフレームＡＦ又はオーディオアクセスユニットＡＡｕの先頭位置を示すパラメータＲＢＮ（Rerative Bite Number）＃ｙをファーストアクセスユニットポインタ２００で示される位置に対応するバイト数に設定する（ステップＳ３）。これと並行して、取得したオーディオフレーム情報６７を含むヘッダ信号Ｓhdがデマルチプレクサ８６からシステムコントローラ１００に出力される。
【０１６３】
次に、トラックバッファ８３から出力される復調信号Ｓdmに含まれるオーディオデータ４３におけるデータのバイト数（現在位置）がパラメータＲＢＮ＃ｙの設定値に等しくなったか否かが判定される（ステップＳ４）。そして、パラメータＲＢＮ＃ｙの設定値に等しくならない場合には（ステップＳ４；ＮＯ）、等しくなるまでデマルチプレクサ８６において復調信号Ｓdm中のオーディオデータ４３を破棄する。この動作により、オーディオフレームＡＦ又はオーディオアクセスユニットＡＡｕの途中からの不要な（デコード処理のできない）オーディオデータ４３がオーディオバッファ９２に出力されることを防止でき、従って、オーディオバッファ９２の後段のオーディオデコーダ９３には、オーディオフレームＡＦ又はオーディオアクセスユニットＡＡｕの先頭からのオーディオデータ４３のみが入力されることとなる。
【０１６４】
一方、ステップＳ４における判定において、オーディオデータ４３におけるデータのバイト数（現在位置）がパラメータＲＢＮ＃ｙの設定値に等しくなった場合には（ステップＳ４；ＹＥＳ）、そのときのオーディオデータ４３の先頭がオーディオフレームＡＦ又はオーディオアクセスユニットＡＡｕの先頭位置であるとして、デマルチプレクサ８６からオーディオバッファ９２へのオーディオ信号Ｓadの出力を開始する（ステップＳ５）。
【０１６５】
このとき、システムコントローラ１００は、デマルチプレクサ８６から出力されているヘッダ信号Ｓhd中の、オーディオパックＡＰ毎の当該オーディオパックＡＰに含まれているオーディオデータ４３を再生出力すべき時刻を示すＰＴＭ（Presentation time ）に基づき、再生時刻を示すパラメータＴs をＰＴＭで示される再生時刻に設定する（ステップＳ６）。そして、再生装置Ｓ２内の動作を司どる基準時間Ｔ（システムコントローラ１００内に設定されている。）がパラメータＴs で示される再生時刻になったか否かが判定され（ステップＳ７）、再生時刻なっていないときには（ステップＳ７；ＮＯ）そのまま待機し、再生時刻になったら（ステップＳ７；ＹＥＳ）システムコントローラ１００からのヘッダ制御信号Ｓhcによりオーディオバッファ９２からオーディオ信号Ｓadを読み出し（ステップＳ８）、オーディオデコーダ９３に入力して復号処理（オーディオ信号ＳadがドルビーＡＣ３方式により圧縮されているときは伸張処理であり、オーディオ信号ＳadがリニアＰＣＭ方式により記録されているときは１６ビットの上位ビットデータと８ビットの下位ビットデータの再合成処理である。）を行う（ステップＳ９）。このとき、オーディオ信号Ｓadに含まれるオーディオデータ４３は、オーディオフレームＡＦ又はオーディオアクセスユニットＡＡｕの先頭からのデータであるので、直ちに復号処理を開始することができる。
【０１６６】
ここで、ステップＳ９における復号処理において、ファーストアクセスユニットポインタ２００に記述されている当該オーディオパケットＡＰＴに含まれている第１番目のオーディオフレームＡＦ又はオーディオアクセスユニットＡＡｕの開始位置を検出して当該第１番目のオーディオフレームＡＦ又はオーディオアクセスユニットＡＡｕをデコードした後に引続き検出されるオーディオフレームＡＦ又はオーディオアクセスユニットＡＡｕについては、一のオーディオフレームＡＦ又はオーディオアクセスユニットＡＡｕに夫々含まれるオーディオデータ４３のデータ量が一定であることから、引続き検出されるオーディオフレームＡＦ又はオーディオアクセスユニットＡＡｕの開始位置が検索できるので、これにより夫々のデコード処理又は再生処理が行われる。
【０１６７】
なお、オーディオアクセスユニットＡＡｕについて、それに含まれるオーディオデータ４３の量が一定でないときには、夫々のヘッダＨにオーディオアクセスユニットＡＡｕに含まれているオーディオデータ４３のデータ量が記述されているので、それに基づいて引続き検出されるオーディオアクセスユニットＡＡｕの開始位置を検索し、これによりデコード処理が行われる。
【０１６８】
そして、ステップＳ９における処理が終了した後は、図示しないＤ／Ａ（Digital/Analog）変換器によりアナログ信号に変換して（ステップＳ１０）図示しないスピーカ等から出力する。
【０１６９】
以上説明した一連の動作により、ファーストアクセスユニットポインタ２００を用いてオーディオフレームＡＦ又はオーディオアクセスユニットＡＡｕの先頭を迅速に検索してオーディオデータ４３の再生が行える。
【０１７０】
この効果について更に説明すると、本発明に係るファーストアクセスユニットポインタ２００を有しない場合には、リニアＰＣＭ方式については、オーディオフレームＡＦの先頭を検索することは極めて困難であり、ビデオデータ４２の出力との同期を取るためには、オーディオデータ４３内のＰＴＭを検索してビデオデータ４２の再生時刻と一致する再生時刻に対応するオーディオデータ４３を探索するしか方法はない。従って、ビデオデータ４２の再生時刻と一致する再生時刻に対応するオーディオデータ４３がデマルチプレクサ８６において分離されるまで、オーディオデータ４３の復号処理ができないこととなり、再生の中断を招く恐れがある。
【０１７１】
一方、ドルビーＡＣ３方式については、オーディオアクセスユニットＡＡｕの先頭を検索するまでオーディオデータ４３の伸張処理ができないため、当該オーディオアクセスユニットＡＡｕの先頭を検索するために、図１４に示すような複雑な処理がオーディオデコーダ９３において必要となる。
【０１７２】
ここで、図１４に示すフローチャートのうち、ステップＳ２０乃至Ｓ２５で示される動作は主としてデマルチプレクサ８６、オーディオバッファ９２及びシステムコントローラ１００において実行される動作であり、ステップＳ２６乃至Ｓ３７で示される動作は、主としてオーディオデコーダ９３において実行される動作である。
【０１７３】
図１４に示すように、ファーストアクセスユニットポインタ２００を有しない場合の再生処理のおいては、始めに、トラックバッファ８３から連続的に出力される復調信号Ｓdmに含まれているパケットヘッダ６５をデマルチプレクサ８６が検出することによりオーディオパックＡＰであることを認識したか否かがデマルチプレクサ８６において判定され（ステップＳ２０）、検出しないときは（ステップＳ２０；ＮＯ）検出するまでビデオパック等の他のパックの処理を行い、検出したときは（ステップＳ２０；ＹＥＳ）、当該オーディオパックＡＰに含まれるオーディオフレーム情報６７をデマルチプレクサ８６において分離する（ステップＳ２１）。
【０１７４】
次に、デマルチプレクサ８６からオーディオバッファ９２へオーディオ信号Ｓadを出力し、当該オーディオ信号Ｓadに含まれるオーディオパックＡＰ内のオーディオデータ４３をオーディオバッファ９２に入力する（ステップＳ２２）。
【０１７５】
このとき、システムコントローラ１００は、デマルチプレクサ８６から出力されているヘッダ信号Ｓhd中の、オーディオパックＡＰ毎のＰＴＭに基づき、再生時刻を示すパラメータＴs をＰＴＭで示される再生時刻に設定する（ステップＳ２３）。そして、再生装置Ｓ2 内の基準時間ＴがパラメータＴs で示される再生時刻になったか否かが判定され（ステップＳ２４）、再生時刻になっていないときには（ステップＳ２４；ＮＯ）そのまま待機し、再生時刻になったら（ステップＳ２４；ＹＥＳ）システムコントローラ１００からのヘッダ制御信号Ｓhcによりオーディオバッファ９２からオーディオ信号Ｓadを読み出し（ステップＳ２５）、オーディオデコーダ９３に入力して復号処理（ドルビーＡＣ３方式に対応する伸張処理）を行う。このとき、オーディオデータ４３はオーディオフレームＡＦ又はオーディオアクセスユニットＡＡｕの先頭からのデータであるとは限らないので、オーディオデコーダ９３は直ちに復号処理を開始することができない。そこで、以下に示すステップＳ２６乃至Ｓ３６で示されるオーディオアクセスユニットＡＡｕの先頭を検索するための処理がオーディオデコーダ４３において必要となる。
【０１７６】
すなわち、図１４（ｂ）に示されるフローチャートにおいて、オーディオデコーダ９３においては、始めに、オーディオアクセスユニットＡＡｕを含むオーディオパケットＡＰＴの先頭のパケットヘッダ６５を検出したか否かが判定され（ステップＳ２６）、検出しないときには（ステップＳ２６；ＮＯ）検出するまで待機し、検出したときは（ステップＳ２６；ＹＥＳ）、次に、正しいヘッダＨが検索された回数を示すパラメータＩと正しくないヘッダＨが検索された回数を示すパラメータＮとを初期化する（ステップＳ２７）。
【０１７７】
次に、各オーディオアクセスユニットＡＡｕ内に含まれているオーディオデータ量が一定であることに基づいて次のヘッダＨの位置を予測し、これをパラメータＲＢＮ＃ｙとする（ステップＳ２８）。そして、次のヘッダＨが検出されたか否かが判定され（ステップＳ２９）、検出されないときは（ステップＳ２９；ＮＯ）そのまま検出されるまで待機し、検出されたときは（ステップＳ２９；ＹＥＳ）当該検出したヘッダＨの位置をパラメータＢＮ＃ｘとし（ステップＳ３０）、次に、パラメータＲＢＮ＃ｙとパラメータＢＮ＃ｘとが等しいか否かが判定され（ステップＳ３１）、等しいときはステップＳ２９において検出したヘッダＨは正しいヘッダＨであるとしてパラメータＩを「１」だけインクリメントし（ステップＳ３２）、ステップＳ３５の処理に移行する。
【０１７８】
一方、パラメータＲＢＮ＃ｙとパラメータＢＮ＃ｘとが等しくないときは（ステップＳ３１；ＮＯ）ステップＳ２９において検出したヘッダＨは正しいヘッダＨではないとしてパラメータＮを「１」だけインクリメントし（ステップＳ３３）、次に、パラメータＮが所定値Ａ（例えば、「３」）より大きくなったときは（ステップＳ３４；ＹＥＳ）、正しいヘッダＨが検出不能であるとしてこれまでの処理を最初からやり直すべくステップＳ２６に戻る。
【０１７９】
また、ステップＳ３４における判定において、パラメータＮが所定値Ａより大きくないときは（ステップＳ３４；ＮＯ）、ステップＳ２９において検出したヘッダＨは正しいヘッダであると看做して次のヘッダＨの位置を予測し、それをパラメータＲＢＮ＃ｙに代入する（ステップＳ３５）。そして、パラメータＩが所定値Ｂ（例えば、「３」）となったか否かを判定し（ステップＳ３６）、所定値Ｂ以上となった場合は（ステップＳ３６；ＹＥＳ）ステップＳ２９で検出したヘッダＨの位置からデコード処理を開始する。一方、ステップＳ３６における判定において、パラメータＩが所定値Ｂ以上でないときは（ステップＳ３６；ＮＯ）次のヘッダＨを検出すべくステップＳ２９に戻る。
【０１８０】
以上説明したステップＳ２６乃至Ｓ３６の処理によりオーディオアクセスユニットＡＡｕの先頭のヘッダＨが検出されると、引き続き当該オーディオアクセスユニットＡＡｕの伸張処理を開始し、オーディオデータ４３のデコード処理が行われることとなる（ステップＳ３７、Ｓ３８）。
【０１８１】
以上説明したように、ファーストアクセスユニットポインタ２００を有しない場合には、リニアＰＣＭ方式の場合であってもドルビーＡＣ３方式の場合であっても複雑な処理が必要なため、オーディオデータ４３のデコード処理又は再生処理に必要な時間が長くなると共に、オーディオデコーダ９３における処理負担も大きくなる。この点で、上記実施の形態のファーストアクセスユニットポインタ２００を用いれば、リニアＰＣＭ方式の場合であってもドルビーＡＣ３方式の場合であっても図１３に示すような簡単な処理でオーディオデータ４３のデコード処理又は再生処理を行えるので、当該デコード処理又は再生処理に必要な時間も短くてよいと共に、オーディオデコーダ９３における処理負担も小さい。従って、ビデオデータ４２等との同期を取ることも容易となる。
【０１８２】
以上説明したように、実施形態の再生装置Ｓ2 によれば、ＤＶＤ１にオーディオパケットＡＰＴ内のオーディオフレームＡＦ又はオーディオアクセスユニットＡＡｕの開始位置を示すファーストアクセスユニットポインタ２００がオーディオデータ４３と共に記録されているので、当該ファーストアクセスユニットポインタ２００に基づいてオーディオフレームＡＦ又はオーディオアクセスユニットＡＡｕの開始位置を迅速に検索し、それに基づいてオーディオフレームＡＦ又はオーディオアクセスユニットＡＡｕ毎の記録情報の再生処理又はデコード処理を行うことができる。
【０１８３】
また、オーディオデータ４３がドルビーＡＣ３方式により圧縮される場合には、オーディオアクセスユニットＡＡｕの先頭を迅速に検索して当該オーディオアクセスユニットＡＡｕ毎に伸張処理ができる。
【０１８４】
更に、オーディオデータ４３がリニアＰＣＭ方式により量子化される場合には、オーディオフレームＡＦの先頭を迅速に検索して当該オーディオフレームＡＦ毎に再生処理ができる。
【０１８５】
なお、上記の実施の形態においては、パディングパケットＰＰの読み跳ばしをオーディオバッファ９２において行ったが、これに限らず、デマルチプレクサ８６の段階で読み跳ばしを行うようにしてもよい。
【０１８６】
また、情報記録媒体の形態も上記ＤＶＤ１に限られるものではない。
【図面の簡単な説明】
【０１８７】
【図１】記録情報の物理的構造（物理フォーマット）を示す図である。
【図２】ＧＯＰを構成するフレーム画像を示す図である。
【図３】オーディオパックの構造を示す図であり、（ａ）はリニアＰＣＭ方式の場合のオーディオパックの構造を示す図であり、（ｂ）はドルビーＡＣ３方式の場合のオーディオパックの構造を示す図である。
【図４】記録情報の論理的構造（論理フォーマット）を示す図である。
【図５】インターリーブドユニットの構造を示す図である。
【図６】オーディオパケットとオーディオフレーム又はオーディオアクセスユニットとの関係を示す図である。
【図７】リニアＰＣＭ方式の場合のＤＶＤ上のデータとオーディオストリームの関係を示す図である。
【図８】ドルビーＡＣ３方式の場合のＤＶＤ上のデータとオーディオストリームの関係を示す図である。
【図９】オーディオフレーム情報の構造を示す図である。
【図１０】記録装置の概要構成を示すブロック図である。
【図１１】信号処理部の細部構成を示すブロック図である。
【図１２】再生装置の概要構成を示すブロック図である。
【図１３】ファーストアクセスユニットポインタを用いたオーディオデータの再生処理を示すフローチャートであり、（ａ）はオーディオフレーム又はオーディオアクセスユニットの開始位置を検索するための処理を示すフローチャートであり、（ｂ）はデコード処理を示すフローチャートである。
【図１４】ファーストアクセスユニットポインタを用いない場合に必要となるデコードの再生処理を示すフローチャートであり、（ａ）はオーディオバッファからのデータの出力までの処理を示すフローチャートであり、（ｂ）はオーディオフレーム又はオーディオアクセスユニットの開始位置を検索してデコードする処理を示すフローチャートである。
【符号の説明】
【０１８８】
１…ＤＶＤ
２…ビデオマネージャ
３、６３…ＶＴＳ
１０…ＶＯＢ
１１…コントロールデータ
２０…セル
３０…ＶＯＢユニット
４１…ナビパック
４２…ビデオデータ
４３…オーディオデータ
４４…サブピクチャデータ
５１…ＤＳＩデータ
５２…ＧＯＰ
６０…プログラム
６１、６１Ａ、６１Ｂ…ＰＧＣ
６２…タイトル
６４…パックヘッダ
６５…パケットヘッダ
６６…サブストリームＩＤ情報
６７…オーディオフレーム情報
６８…オーディオデータ情報
７０…ＶＴＲ
７１…メモリ
７２…信号処理部
７２Ａ、７２Ｂ…処理部
７２Ｃ、７２Ｄ…分割部
７２Ｅ…多重部
７２Ｆ…制御情報生成部
７３、７４…ハードディスク装置
７５…コントローラ
７６…多重器
７７…変調器
７８…マスタリング装置
８０…ピックアップ
８１…復調訂正部
８２、８４…ストリームスイッチ
８３…トラックバッファ
８５…システムバッファ
８６…デマルチプレクサ
８７…ＶＢＶバッファ
８８…ビデオデコーダ
８９…サブピクチャバッファ
９０…サブピクチャデコーダ
９１…混合器
９２…オーディオバッファ
９３…オーディオデコーダ
９４…ＰＣＩバッファ
９５…ＰＣＩデコーダ
９６…ハイライトバッファ
９７…ハイライトデコーダ
９８…入力部
９９…ディスプレイ
１００…システムコントローラ
１０１…ドライブコントローラ
１０２…スピンドルモータ
１０３…スライダモータ
２００…ファーストアクセスユニットポインタ
２０１…オーディオフレーム数情報
Ｐ…パック
Ｈ…ヘッダ
ＰＴ…パケット
ＡＰ、ＡＰa 、ＡＰb 、ＡＰc 、ＡＰd 、ＡＰe 、ＡＰf 、ＡＰg 、ＡＰh 、ＡＰi 、ＡＰj 、ＡＰk 、ＡＰl …オーディオパック
ＡＰＴ…オーディオパケット
ＰＰ…パディングパケット
ＡＦ…オーディオフレーム
ＡＡｕ…オーディオアクセスユニット
Ｂ…光ビーム
Ｓ１…記録装置
Ｓ２…再生装置
ＳＴ…キューシート
Ｓr …多重処理信号
Ｓrv…処理映像信号
Ｓrvp …分割処理映像信号
Ｓra…処理音信号
Ｓrapp…多重処理音信号
Ｓrap …分割処理音信号
Ｓi …制御情報信号
Ｓa …付加情報信号
Ｓcc…情報選択信号
Ｓm …ディスク記録信号
Ｓap…情報付加多重処理信号
Ｓpci …ＰＣＩ情報信号
Ｓdsi …ＤＳＩ情報信号
Ｓp …検出信号
Ｓd …駆動信号
Ｓdm…復調信号
Ｓsw1 、Ｓsw2 …スイッチ信号
Ｓin…入力信号
Ｓdp…表示信号
Ｓcsl …シームレス制御信号
Ｓc …制御信号
Ｓlc…ストリーム選択信号
Ｓca…ポーズ信号
Ｓch…ハイライト制御信号
Ｓhi…ハイライト信号
Ｓpc…ＰＣＩ信号
Ｓad…オーディオ信号
Ｓsp…副映像信号
Ｓv …ビデオ信号
Ｓvd…復調ビデオ信号
Ｓspd …復調副映像信号
Ｓadd …復調オーディオ信号
Ｓvp…映像信号
Ｓhid …復調ハイライト信号
Ｓhd…ヘッダ信号
Ｓhc…ヘッダ制御信号
Ｔt …タイムコード
Ｒ…記録情報
【図１】
2005327459.tif 000003
【図２】
2005327459.tif 000004
【図３】
2005327459.tif 000005
【図４】
2005327459.tif 000006
【図５】
2005327459.tif 000007
【図６】
2005327459.tif 000008
【図７】
2005327459.tif 000009
【図８】
2005327459.tif 000010
【図９】
2005327459.tif 000011
【図１０】
2005327459.tif 000012
【図１１】
2005327459.tif 000013
【図１２】
2005327459.tif 000014
【図１３】
2005327459.tif 000015
【図１４】
2005327459.tif 000016
【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
再生すべき記録情報と共に情報記録媒体に記録されている開始位置情報に基づいて前記記録情報の再生を制御する再生装置により再生される前記記録情報が記録されている情報記録媒体であって、
前記記録情報に対して所定の信号処理を施すことにより生成され、複数の予め設定された情報単位により構成されていると共に、前記所定の信号処理に基づいて予め設定された記録単位であって、一又は複数の前記情報単位を含む記録単位毎に分割されている処理記録情報に、一の前記記録単位内における前記情報単位の開始位置を示す開始位置情報と当該一の記録単位内における前記情報単位の個数を示す個数情報とを有する情報単位情報とが、前記記録単位毎に多重されて記録された領域を有し、
前記情報単位情報が、当該情報単位情報の終了位置からの開始位置を示す開始位置情報を有することを特徴とする記録装置。
【請求項２】
請求項１に記載の情報記録媒体において、
前記処理記録情報は、音声情報である前記記録情報に対して所定の圧縮処理を施すことにより生成されると共に、前記情報単位は、前記圧縮処理における圧縮情報単位であり、更に、前記開始位置情報は、前記記録単位に前記開始位置が含まれる前記情報単位のうち、最初の前記情報単位の前記開始位置を示す開始位置情報であることを特徴とする情報記録媒体。
【請求項３】
請求項１に記載の情報記録媒体において、
前記処理記録情報は、音声情報である前記記録情報に対して所定の標本化処理及び量子化処理を施すことにより生成されると共に、前記情報単位は、前記所定の標本化処理及び量子化処理により生成された所定数の標本値からなる情報単位であり、更に、前記開始位置情報は、前記記録単位に前記開始位置が含まれる前記情報単位のうち、最初の前記情報単位の前記開始位置を示す開始位置情報であることを特徴とする情報記録媒体。
【請求項４】
請求項１乃至３のいずれか一に記載の記録装置において、
前記情報単位は、オーディオフレームであり、
前記記録単位は、前記開始位置情報を含むオーディオフレーム情報を備えたオーディオパケットであることを特徴とする情報記録媒体。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
上記課題を解決するために、請求項１に記載の発明の情報記録媒体によれば、前記記録情報に対して所定の信号処理を施すことにより生成され、複数の予め設定された情報単位により構成されていると共に、前記所定の信号処理に基づいて予め設定された記録単位であって、一又は複数の前記情報単位を含む記録単位毎に分割されている処理記録情報に、一の前記記録単位内における前記情報単位の開始位置を示す開始位置情報と当該一の記録単位内における前記情報単位の個数を示す個数情報とを有する情報単位情報とが、前記記録単位毎に多重されて記録された領域を有し、前記情報単位情報が、当該情報単位情報の終了位置からの開始位置を示す開始位置情報を有することを特徴とする。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】